【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームを開始させることが可能となり、複数種類の識別情報を変動表示させる可変表示装置に表示結果が導出されることにより１ゲームが終了し、該可変表示装置に導出された表示結果に応じて入賞が発生可能であるスロットマシンにおいて、
ゲームを開始させるための賭数を設定する賭数設定手段と、
ゲーム毎に前記可変表示装置の表示結果が導出されるより前に、通常遊技状態よりも遊技者にとって有利な特別遊技状態への移行を伴う特別表示結果と前記遊技用価値の付与を伴う複数種類の小役表示結果とを含む複数種類の入賞表示結果の導出を許容するか否かを決定する事前決定手段と、
前記識別情報の変動表示を停止させるために遊技者により操作される停止操作手段と、
前記事前決定手段の決定結果と前記停止操作手段の操作手順とに応じて前記可変表示装置に表示結果を導出させる導出制御手段と、
前記特別表示結果の導出を許容する旨が決定され、該決定に基づいて該特別表示結果が導出されないときに、該特別表示結果の導出を許容する旨の決定を次ゲーム以降に持ち越す特別決定持越手段と、
前記可変表示装置の表示結果として前記特別表示結果が導出されたときに、前記特別遊技状態に遊技状態を制御する特別遊技状態制御手段と、
前記可変表示装置の表示結果として前記小役表示結果が導出されたときに、所定数の遊技用価値を遊技者に付与する遊技用価値付与手段と、
前記事前決定手段により前記特別表示結果の導出を許容する旨が決定されたときに、該特別表示結果が導出されるまで、前記特別遊技状態とは異なる遊技者にとって有利な有利状態に遊技状態を制御する遊技状態制御手段とを備え、
前記導出制御手段は、
前記事前決定手段により前記複数種類の小役表示結果のうちの第１種類の小役表示結果の導出を許容する旨が決定され、第１手順で前記停止操作手段が操作されたときには該第１種類の小役表示結果を導出させ、該第１手順以外の手順で前記停止操作手段が操作されたときには該第１種類の小役表示結果以外の表示結果を導出させる第１小役表示結果導出手段と、
前記事前決定手段により前記複数種類の小役表示結果のうちの第２種類の小役表示結果の導出を許容する旨が決定され、前記第１手順とは異なる第２手順で前記停止操作手段が操作されたときには該第２種類の小役表示結果を導出させ、該第２手順以外の手順で前記停止操作手段が操作されたときには該第２種類の小役表示結果以外の表示結果を導出させる第２小役表示結果導出手段とを含み、
前記スロットマシンは、前記特別表示結果の導出を許容する旨が決定された後の所定タイミングから所定の報知期間が経過するまでにおいて、前記事前決定手段によりいずれかの種類の小役表示結果の導出を許容する旨が決定されたときに、該種類の小役表示結果を導出させるための導出操作手順を特定可能な情報を遊技者に報知する導出操作手順報知手段をさらに備え、
前記有利状態において１ゲームあたりに前記遊技用価値付与手段により付与される遊技用価値の数の期待値は、前記報知期間内であるときには前記導出操作手順報知手段により報知された情報から特定される導出操作手順で前記停止操作手段が操作されることにより前記賭数の設定に用いられる遊技用価値の数よりも大きくなり、前記報知期間外であるときには前記賭数の設定に用いられる遊技用価値の数よりも小さくなり、
前記導出制御手段は、
前記事前決定手段により前記特別表示結果の導出を許容する旨が決定されているときであって特定手順で前記停止操作手段が操作されたときに、前記特別表示結果を導出可能であり、
前記事前決定手段により前記複数種類の小役表示結果のうちの特定種類の小役表示結果の導出を許容する旨が決定されているときであって前記特定手順で前記停止操作手段が操作されたときに、前記特定種類の小役表示結果を導出可能であり、
前記事前決定手段により前記特別表示結果の導出を許容する旨と前記特定種類の小役表示結果の導出を許容する旨とが決定されているときであって前記特定手順で前記停止操作手段が操作されたときに、前記特別表示結果を導出可能であり、
前記導出操作手順報知手段は、前記報知期間において、前記事前決定手段により前記特定種類の小役表示結果の導出を許容する旨が決定されていることを条件として、所定の報知を行なう所定報知手段を含むことを特徴とする、スロットマシン。
【手続補正２】
【補正対象書類名】明細書
【補正対象項目名】００２１
【補正方法】変更
【補正の内容】
【００２１】
（２）  上記（１）のスロットマシンにおいて、前記導出制御手段は、前記複数種類の入賞表示結果のうちの一の入賞表示結果である所定入賞表示結果（リプレイ）と前記特別表示結果との導出が許容されているときに、前記特別表示結果よりも前記所定入賞表示結果を優先して導出させ、該所定入賞表示結果を導出できないときに前記特別表示結果を導出させる所定入賞優先導出制御手段を含む（たとえば、ビッグボーナスの当選フラグとリプレイの当選フラグがＯＮ状態であるときのリール制御）。
【手続補正３】
【補正対象書類名】明細書
【補正対象項目名】００２４
【補正方法】変更
【補正の内容】
【００２４】
（３）  上記（１）または（２）のスロットマシンにおいて、前記事前決定手段は、前記特別表示結果の導出を許容する旨と前記複数種類の入賞表示結果のうち複数種類定められた所定入賞表示結果（リプレイ、チェリー、メロン）のいずれかの導出を許容する旨とを１ゲームにおいて同時に決定する特別同時決定手段（図９参照）を含み、
前記導出操作手順報知手段は、
前記特別同時決定手段により前記特別表示結果と同時に導出を許容する旨が決定された所定入賞表示結果の種類（リプレイか、チェリー＋メロンか）に応じて、前記報知期間を特定するための特定値（ナビ関連情報、ＡＴ継続ゲーム数、継続率、時間等）を決定する特定値決定手段（Ｓｓ５０３、図２８）を含み、
前記所定タイミングから前記特定値決定手段により決定した特定値に基づいて特定される（Ｓｓ５０３）報知期間が経過するまで、前記事前決定手段によりいずれかの種類の小役表示結果の導出を許容する旨が決定されたときに、前記導出操作手順を特定可能な情報を遊技者に報知する（Ｓｓ５０５）。
【手続補正４】
【補正対象書類名】明細書
【補正対象項目名】００２６
【補正方法】変更
【補正の内容】
【００２６】
（４）  上記（３）のスロットマシンにおいて、前記所定入賞表示結果は、第１種類の入賞表示結果（リプレイ）と第２種類の入賞表示結果（チェリー、メロン）とを含み、
前記特定値決定手段は、前記特別表示結果が前記第１種類の入賞表示結果と同時に導出を許容する旨が決定されたときよりも前記第２種類の入賞表示結果と同時に導出を許容する旨が決定されたときの方が、高い割合で長い期間を報知期間として特定し得る値（多いゲーム数、高い継続率、長い時間）を特定値として決定する（図２８）。
【手続補正５】
【補正対象書類名】明細書
【補正対象項目名】００２８
【補正方法】変更
【補正の内容】
【００２８】
（５）  上記（４）のスロットマシンにおいて、前記導出制御手段は、前記特別表示結果と前記第２種類の入賞表示結果との導出が許容されているときに、所定手順で前記停止操作手段が操作されたときには前記特別表示結果または前記第２種類の入賞表示結果を導出させ、該所定手順以外の手順で前記停止操作手段が操作されたとき（たとえば、左リール２Ｌおよび中リール２Ｃの「赤７」が入賞ラインに揃った状態で右リール２Ｒの「赤７」を当該入賞ライン上に引き込むことができないタイミングでストップスイッチ８Ｒが操作されたときや、左リール２Ｌの「赤７」が下段に停止した状態で中リール２Ｃまたは右リール２Ｒの「赤７」を入賞ライン上に引き込むことができないタイミングでストップスイッチ８Ｃまたは８Ｒが操作されたとき等）に前記特別表示結果および前記第２種類の入賞表示結果と異なる表示結果（はずれ）を導出させる（たとえば、ビッグボーナス、チェリー、およびメロンの当選フラグがＯＮ状態であるときのリール制御）。
【手続補正６】
【補正対象書類名】明細書
【補正対象項目名】００３４
【補正方法】変更
【補正の内容】
【００３４】
（６）  上記（１）〜（５）のスロットマシンにおいて、成立条件の種類に応じて、前記特定値決定手段による決定に関連する状態（モード：低確モード、高確モード、天井モード、チェリーモード、リプレイ３連モード、特殊モード）を移行する状態移行手段（Ｓｓ５０２）をさらに備え、
前記特定値決定手段は、前記事前決定手段により前記特別表示結果の導出を許容する旨が決定されたことを条件として、前記状態移行手段により移行されている状態に応じて、前記特定値を決定する（Ｓｓ５０３）。
【手続補正７】
【補正対象書類名】明細書
【補正対象項目名】００３７
【補正方法】変更
【補正の内容】
【００３７】
（７）  上記（１）〜（６）のスロットマシンにおいて、前記複数種類の入賞表示結果は、前記特別遊技状態とも前記有利状態とも異なる遊技者にとって有利な状態が１ゲーム限りで終了する単独有利状態（シングルボーナス）への移行を伴う単独表示結果（シングルボーナス（１）〜（３））を含み、
前記事前決定手段は、
前記第１種類の小役表示結果および前記第２種類の小役表示結果各々の導出を許容する旨と前記単独表示結果の導出を許容する旨とを１ゲームにおいて同時に決定する小役同時決定手段（図９（ａ）参照）と、
前記単独表示結果の導出を許容するか否かとは別に、前記第１種類の小役表示結果および前記第２種類の小役表示結果各々の導出を許容するか否かを決定する小役単体決定手段（図９（ｂ）参照）とを含み、
前記導出制御手段は、前記小役表示結果と前記単独表示結果との導出が許容されているとき（たとえば、シングルボーナス（１）＋９枚役（２）に当選しているとき）に、前記小役表示結果よりも前記単独表示結果を優先して導出させ、該単独表示結果を導出できないときに前記小役表示結果を導出させる単独優先導出制御手段（たとえば、シングルボーナス（１）および９枚役（２）の当選フラグがＯＮ状態であるときのリール制御）を含み、
前記事前決定手段は、前記第１種類の小役表示結果および前記第２種類の小役表示結果各々の導出を許容する旨を、前記特別表示結果の導出を許容する旨を決定していないとき（初期遊技状態中）には前記小役同時決定手段により決定し、前記特別表示結果の導出を許容する旨を決定しているとき（ＲＴ中）には前記小役単体決定手段により決定する。